(57)【要約】【課題】精査が完了した書面だけに自動的に押印して発行できるようにする。【解決手段】印書作成装置は、押印のある文書の作成に必要なデータの入力を受け付け、受け付けたデータを基に文書を作成する。同装置は、文書に印を押したときにできる印影を表す押印データを取得する。同装置は、文書を未完文書として出力する指示を受けた場合には、作成された文書をそのまま出力し、文書を完成文書として出力する指示を受けた場合には、作成された文書に取得した押印データを付加して出力する。【選択図】      図３
2020181260.tif 000002
【特許請求の範囲】
【請求項１】
押印のある文書の作成に必要なデータの入力を受け付ける受付手段と、
前記受付手段で受け付けたデータを基に文書を作成する作成手段と、
文書に印を押したときにできる印影を表す押印データを取得する取得手段と、
前記作成手段で作成された文書を未完文書として出力を指示する第１指示手段と、
前記作成手段で作成された文書を完成文書として出力を指示する第２指示手段と、
前記第１指示手段による指示を受けた場合には、前記作成手段で作成された文書をそのまま出力し、前記第２指示手段による指示を受けた場合には、前記作成手段で作成された文書に前記取得手段で取得した押印データを付加して出力する出力手段と、
を具備する印書作成装置。
【請求項２】
前記作成手段で作成された文書の押印位置を特定する特定手段、
をさらに具備し、
前記出力手段は、前記第２指示手段による指示を受けた場合、前記作成手段で作成された文書の前記特定手段で特定された押印位置に前記取得手段で取得した押印データを付加して出力する請求項１記載の印書作成装置。
【請求項３】
前記作成手段で作成された複数の文書を保存する保存手段、
をさらに具備し、
前記出力手段は、前記第２指示手段による指示を受けた場合、前記保存手段により保存されている前記複数の文書にそれぞれ前記取得手段で取得した押印データを付加して出力する、請求項１又は２記載の印書作成装置。
【請求項４】
前記押印データが付加された文書の出力を報知する報知手段、
をさらに具備する請求項１乃至３のうちいずれか１項記載の印書作成装置。
【請求項５】
押印のある文書の作成に必要なデータを入力するための入力部と、
文書に印を押したときにできる印影を表す押印データを記憶する記憶部と、
前記入力部を介して入力されたデータを基に文書を作成し、その文書を未完文書として出力する機能、およびその文書に前記押印データを付加して完成文書として出力する機能を有する制御部と、
を具備する印書作成装置。
【請求項６】
印書作成装置としてのコンピュータを、
押印のある文書の作成に必要なデータの入力を受け付ける受付手段、
前記受付手段で受け付けたデータを基に文書を作成する作成手段、
文書に印を押したときにできる印影を表す押印データを取得する取得手段、
前記作成手段で作成された文書を未完文書として出力を指示する第１指示手段、
前記作成手段で作成された文書を完成文書として出力を指示する第２指示手段、及び、
前記第１指示手段による指示を受けた場合には、前記作成手段で作成された文書をそのまま出力し、前記第２指示手段による指示を受けた場合には、前記作成手段で作成された文書に前記取得手段で取得した押印データを付加して出力する出力手段、
として機能させるための制御プログラム。
【発明の詳細な説明】
【技術分野】
【０００１】
本発明の実施形態は、押印のある文書を作成するための印書作成装置及びその制御プログラムに関する。
【背景技術】
【０００２】
押印のある文書、いわゆる印書としては、例えば、取引先に対して確定した支払金額を通知するための書面がある。このような書面は、支払通知書、支払案内書等と称される。本明細書では、支払通知書を採用する。支払通知書には、支払金額とともに、取引先の名称、支払通知書の発行日、発行元の名称等の情報が記録されている。そして、発行元が発行したことを証明するための捺印が押される。
【０００３】
このような支払通知書は、通常、発行元の担当者が、専用のアプリケーションプログラムを実装したコンピュータを利用して以下の手順で作成している。すなわち担当者は、先ず、コンピュータに対して支払通知書に必要なデータを入力し、発行を指令する。そうすると、コンピュータに接続されたプリンタから支払通知書が印刷出力されるので、担当者は、支払通知書の各項目について精査を行う。その結果、問題がないことを確認したならば、担当者は、コンピュータに対して再度発行を指令する。そうすると、プリンタから支払通知書が印刷出力されるので、担当者はその支払通知書を正規の書面として採用し、捺印を行う。
【０００４】
このように、従来、支払通知書には、精査が完了するまでに少なくとも１回は発行される精査用の書面と、精査完了後に発行される正規の書面とが存在する。そして担当者は、正規の書面だけに捺印を行い、取引先へ提出する。このため、支払通知書の提出先である取引先が多数存在する場合には、担当者の負担が大きく、捺印の押し間違え等のミスが発生し易い。
【０００５】
このような問題を解消するために、近年、支払通知書のテンプレートデータに、予め印を押したときにできる印影を表す押印データを含ませることによって、自動的に押印済の支払通知書を発行できるアプリケーションプログラムが開発されている。しかしながら、この種のアプリケーションプログラムを使用して支払通知書を作成した場合には、全ての支払通知書に押印がなされて発行されるため、精査完了後の正規の書面であるのか、精査完了前の精査用の書面であるのかの判断ができないという問題がある。
【先行技術文献】
【特許文献】
【０００６】
【特許文献１】特開２００１−１２５９５１号公報
【特許文献２】特開２００４−０７０４６６号公報
【発明の概要】
【発明が解決しようとする課題】
【０００７】
本発明の実施形態が解決しようとする課題は、精査が完了した書面だけに自動的に押印して発行できる印書作成装置及びその制御プログラムを提供しようとするものである。
【課題を解決するための手段】
【０００８】
一実施形態において、印書作成装置は、受付手段と、作成手段と、取得手段と、第１指示手段と、第２指示手段と、出力手段とを備える。受付手段は、押印のある文書の作成に必要なデータの入力を受け付ける。作成手段は、受付手段で受け付けたデータを基に文書を作成する。取得手段は、文書に印を押したときにできる印影を表す押印データを取得する。第１指示手段は、作成手段で作成された文書を未完文書として出力を指示する。第２指示手段は、作成手段で作成された文書を完成文書として出力を指示する。出力手段は、第１指示手段による指示を受けた場合には、作成手段で作成された文書をそのまま出力し、第２指示手段による指示を受けた場合には、作成手段で作成された文書に取得手段で取得した押印データを付加して出力する。
【図面の簡単な説明】
【０００９】
【図１】一実施形態として支払通知書を発行可能な印書作成システムの概略構成図。
【図２】印書作成プログラムに従って実行するプロセッサの主要な情報処理の手順を示す流れ図。
【図３】印書作成プログラムに従って実行するプロセッサの主要な情報処理の手順を示す流れ図。
【図４】図３における押印処理の手順を具体的に示す流れ図。
【図５】印書データ画面の一表示例を示す図。
【図６】第１確認画面の一表示例を示す図。
【図７】第２確認画面の一表紙例を示す図。
【図８】捺印前の支払通知書の一出力例を示す図。
【図９】捺印後の支払通知書の一出力例を示す図。
【発明を実施するための形態】
【００１０】
以下、精査が完了した書面だけに自動的に押印して発行できる印書作成装置の実施形態について、図面を用いて説明する。  
なお、この実施形態は、複数のテナントが入店しているショッピングセンターを管理するデベロッパーが、各テナントに支払金額を通知するための支払通知書を作成する場合である。
【００１１】
はじめに、支払通知書について説明する。図８及び図９は、支払通知書の一例である。図８は、捺印前の支払通知書１Ｐを例示しており、図９は、捺印後の支払通知書１Ｑを例示している。
【００１２】
図８及び図９に示すように、支払通知書１Ｐ，１Ｑは、ヘッダ欄２と明細欄３とを有する。ヘッダ欄２には、取引先の名称であるテナント名２Ａ、発行日２Ｂ、発行元の名称であるデベロッパー名２Ｃ、支払金額２Ｄ等が記録される。また、デベロッパーの社印を捺印するための押印エリア２Ｅが、ヘッダ欄１０１のデベロッパー名２Ｃの近くに形成されている。
【００１３】
明細欄３は、第１の明細欄３Ａと第２の明細欄３Ｂと第３の明細欄３Ｃとに区分されている。そして第１の明細欄３Ａには、例えば売上に関する各種項目のデータが記録される。第２の明細欄３Ｂには、例えば経費に関する各種項目のデータが記録される。第３の明細欄３Ｃには、例えばテナント料に関する各種項目のデータが記録される。
【００１４】
図１は、一実施形態として支払通知書１Ｐ，１Ｑを発行可能な印書作成システム１００の概略構成図である。印書作成システム１００は、印書作成装置１０と、データベースサーバ２０と、プリンタサーバ３０と、ネットワーク４０とを含む。ネットワーク４０は、例えばＬＡＮ（Local Area Network）である。ネットワーク４０は、例えばインターネットであってもよい。印書作成装置１０と、データベースサーバ２０及びプリンタサーバ３０とは、それぞれネットワーク４０に接続されており、相互間でデータ通信が可能となっている。
【００１５】
データベースサーバ２０は、デベロッパーデータベース２１、テナントデータベース２２、テンプレートデータベース２３、印書データベース２４、売上帳票データベース２５、経費帳票データベース２６、テナント料帳票データベース２７等のデータベースの管理に特化したサーバである。
【００１６】
デベロッパーデータベース２１は、デベロッパーを識別するための識別コードと関連付けて、そのデベロッパーに関するデータを保管するための領域である。データの項目には、少なくともデベロッパー名と押印データとが含まれている。押印データは、支払通知書に捺印をしたときにできる印影を表すデータである。印は、例えばデベロッパーの社印である。
【００１７】
テナントデータベース２２は、ショッピングセンターに出店している各テナントを識別するための識別コードと関連付けて、そのテナントに関するデータを保管するための領域である。データの項目には、少なくともテナント名が含まれている。
【００１８】
テンプレートデータベース２３は、支払通知書を含む印書のテンプレートデータを保管するための領域である。支払通知書のテンプレートデータは、ヘッダ欄２と明細欄３とを構成する。そして、ヘッダ欄２については、テナント名２Ａ、発行日２Ｂ、デベロッパー名２Ｃ、支払金額２Ｄの各エリアと、押印エリア２Ｅとが設定されている。明細欄３については、第１乃至第３の明細欄３Ａ，３Ｂ，３Ｃのエリアが設定されている。
【００１９】
印書データベース２４は、印書作成装置１０で作成された印書のデータを保管するための領域である。例えば印書作成装置１０で支払通知書が作成された場合、当該支払通知書のデータは印書データベース２４で保管される。データの保管期間は任意である。
【００２０】
売上帳票データベース２５は、売上に関する各種項目の出金、入金等について、テナント毎に記録した売上帳票を保管するための領域である。経費帳票データベース２６は、光熱費等の経費に関する各種項目の費用等について、テナント毎に記録した経費帳票を保管するための領域である。テナント料帳票データベース２７は、出店料等のテナント料に関する各種項目の費用等について、テナント毎に記録したテナント料帳票を保管するための領域である。
【００２１】
因みに、売上帳票、経費帳票及びテナント料帳票は、印書作成システム１００とは別のシステムで作成され、ネットワーク４０を経由して売上帳票データベース２５、経費帳票データベース２６及びテナント料帳票データベース２７にそれぞれ保存される。
【００２２】
データベースサーバ２０は、各データベース２１〜２７を内部の記憶装置に保存して管理してもよいし、外部に接続された記憶装置に保存して管理してもよい。またデータベースサーバ２０は、一部のデータベースを内部の記憶装置に保存して管理し、残りのデータベースを外部の記憶装置に保存して管理してもよい。
【００２３】
プリンタサーバ３０は、プリンタ３１を接続しており、このプリンタ３１の管理に特化したサーバである。プリンタサーバ３０は、印書作成装置１０からの指令によりプリンタ３１を動作させて、支払通知書等の印書を印刷出力する。プリンタ３１は、レーザプリンタ、インクジェットプリンタ等の単体のプリンタであってもよいし、複合機等であってもよい。
【００２４】
印書作成装置１０は、プロセッサ１１、メインメモリ１２、補助記憶デバイス１３、時計１４、入力デバイス１５、表示デバイス１６、通信インターフェース１７及びシステム伝送路１８を備える。システム伝送路１８は、アドレスバス、データバス、制御信号線等を含む。システム伝送路１８は、プロセッサ１１と、メインメモリ１２、補助記憶デバイス１３、時計１４、入力デバイス１５、表示デバイス１６及び通信インターフェース１７とを相互に接続する。プロセッサ１１、メインメモリ１２及び補助記憶デバイス１３がシステム伝送路１８で接続されることにより、印書作成装置１０のコンピュータが構成される。
【００２５】
プロセッサ１１は、上記コンピュータの中枢部分に相当する。プロセッサ１１は、オペレーティングシステム又はアプリケーションプログラムに従って、印書作成装置１０としての各種の機能を実現するべく各部を制御する。プロセッサ１１は、例えばＣＰＵ（Central Processing Unit）である。
【００２６】
メインメモリ１２は、上記コンピュータの主記憶部分に相当する。メインメモリ１２は、不揮発性のメモリ領域と揮発性のメモリ領域とを含む。メインメモリ１２は、不揮発性のメモリ領域ではオペレーティングシステム又はアプリケーションプログラムを記憶する。メインメモリ１２は、プロセッサ１１が各部を制御するための処理を実行する上で必要なデータを不揮発性又は揮発性のメモリ領域で記憶する場合もある。メインメモリ１２は、揮発性のメモリ領域を、プロセッサ１１によってデータが適宜書き換えられるワークエリアとして使用する。不揮発性のメモリ領域は、例えばＲＯＭ（Read Only Memory）である。揮発性のメモリ領域は、例えばＲＡＭ（Random Access Memory）である。
【００２７】
補助記憶デバイス１３は、上記コンピュータの補助記憶部分に相当する。例えばＥＥＰＲＯＭ（Electric Erasable Programmable Read-Only Memory）、ＨＤＤ（Hard Disk Drive）、あるいはＳＳＤ（Solid State Drive）等が補助記憶デバイス１３となり得る。補助記憶デバイス１３は、プロセッサ１１が各種の処理を行う上で使用するデータ、プロセッサ１１での処理によって作成されたデータ等を保存する。補助記憶デバイス１３は、上記のアプリケーションプログラムを記憶する場合もある。
【００２８】
メインメモリ１２又は補助記憶デバイス１３に記憶されるアプリケーションプログラムには、印書作成装置１０で実行される情報処理に関して記述した制御プログラム、いわゆる印書作成プログラムが含まれる。印書作成プログラムをメインメモリ１２又は補助記憶デバイス１３にインストールする方法は特に限定されるものではない。リムーバブルな記録媒体に登録プログラムを記録して、あるいはネットワーク４０を介した通信により印書作成プログラムを配信して、メインメモリ１２又は補助記憶デバイス１３にインストールすることができる。記録媒体は、ＣＤ−ＲＯＭ，メモリカード等のようにプログラムを記憶でき、かつ装置が読み取り可能であれば、その形態は問わない。
【００２９】
時計１４は、印書作成装置１０の時刻情報源として機能する。プロセッサ１１は、時計１４で計時されている日時を現在日時として取得する。
【００３０】
入力デバイス１５は、印書作成装置１０に対するオペレータの操作を受け付けるためのデバイスである。例えばキーボード、タッチパネル、ポインティングデバイス等が入力デバイス１５として用いられる。
【００３１】
表示デバイス１６は、オペレータに対して種々の画面データを表示するためのデバイスである。例えば、液晶ディスプレイ、有機ＥＬディスプレイ等が表示デバイス１６として用いられる。
【００３２】
通信インターフェース１７は、ネットワーク４０に接続されている。通信インターフェース１７は、ネットワーク４０を介して接続されたデータベースサーバ２０及びプリンタサーバ３０との間で、所定の通信プロトコルに従いデータ通信を行う。
【００３３】
かかる構成の印書作成装置１０は、例えばパーソナルコンピュータ等の汎用のコンピュータに印書作成プログラムをインストールすることによって実現できる。
【００３４】
図２乃至図４は、印書作成プログラムに従って実行するプロセッサ１１の主要な情報処理の手順を示す流れ図である。以下、図２乃至図４を用いて、印書作成装置１０の動作を説明する。なお、図２乃至図４に示すとともに以下に説明する動作の内容は一例である。同様な結果を得ることが可能であれば、その処理手順及び処理内容は特に限定されるものではない。
【００３５】
印書作成装置１０では、初期状態のとき、表示デバイス１６に種々の業務メニューが表示されている。その業務メニューの中に印書作成業務がある。支払通知書を作成するデベロッパーの担当者は、先ず、入力デバイス１５を操作して、印書作成業務を選択する。印書作成業務が選択されると、印書作成装置１０において作成可能な印書のリストが表示デバイス１６に表示される。そこで担当者は、入力デバイス１５を操作して、リストから支払通知書を選択する。支払通知書が選択されると、プロセッサ１１は、図２乃至図４の流れ図に示す手順の情報処理を開始する。
【００３６】
先ず、プロセッサ１１は、図２のＡＣＴ１として番号カウンタＮを“０”に初期化する。番号カウンタＮは、例えばメインメモリ１２に設けられている。次に、プロセッサ１１は、ＡＣＴ２として支払通知書のテンプレートデータを取得する。
【００３７】
具体的にはプロセッサ１１は、支払通知書のテンプレートデータを要求するコマンドをデータベースサーバ２０へと出力するように通信インターフェース１７を制御する。この制御により、通信インターフェース１７からネットワーク４０を介してデータベースサーバ２０へとコマンドが送信される。コマンドには、支払通知書のテンプレートデータを要求するデータとともに、デベロッパーの識別コードが含まれる。識別コードは、予め補助記憶デバイス１３に設定されている。
【００３８】
データベースサーバ２０では、このコマンドを受けて、デベロッパーデータベース２１とテンプレートデータベース２３とが検索される。そして、デベロッパーの識別コードと関連付けられたデベロッパーに関するデータのなかからデベロッパー名のデータが検出される。また、テンプレートデータベース２３から支払通知書のテンプレートデータが検出される。検出されたデータは、データベースサーバ２０からネットワークを介してコマンド送信元の印書作成装置１０へと送信される。
【００３９】
かくして、印書作成装置１０のプロセッサ１１は、支払通知書のテンプレートデータを取得することができる。プロセッサ１１は、データベースサーバ２０から取得した支払通知書のテンプレートデータを、同時に取得したデベロッパー名のデータとともにメインメモリ１２の揮発性領域又は補助記憶デバイス１３で記憶する。
【００４０】
プロセッサ１１は、ＡＣＴ３として表示デバイス１６の画面をテナント選択画面とする。テナント選択画面は、支払通知書の発行先であるテナントを選択するための画面である。テナント選択画面は、例えばテナント名の一覧が表示された画面である。あるいはテナント選択画面は、テナント名を選択可能なプルダウンリストを備えた画面であってもよい。
【００４１】
テナント選択画面を表示させたプロセッサ１１は、ＡＣＴ４としていずれか１つのテナントが選択されるのを待ち受ける。そして、テナントが選択されたならば、プロセッサ１１は、ＡＣＴ４においてＹＥＳと判定し、ＡＣＴ５へと進む。プロセッサ１１は、ＡＣＴ５としてテナントデータを取得する。
【００４２】
具体的にはプロセッサ１１は、テナント選択画面から選択されたテナントに係るデータを要求するコマンドをデータベースサーバ２０へと出力するように通信インターフェース１７を制御する。この制御により、通信インターフェース１７からネットワーク４０を介してデータベースサーバ２０へとコマンドが送信される。コマンドには、選択されたテナントの識別コードが含まれる。各テナントの識別コードは、予め補助記憶デバイス１３に設定されている。
【００４３】
データベースサーバ２０では、このコマンドを受けて、テナントデータベース２２が検索される。そして、テナントの識別コードと関連付けられたテナント名等のデータが検出される。検出されたデータは、データベースサーバ２０からネットワークを介してコマンド送信元の印書作成装置１０へと送信される。
【００４４】
かくして、印書作成装置１０のプロセッサ１１は、選択されたテナントのテナント名等のデータを取得することができる。プロセッサ１１は、データベースサーバ２０から取得したテナント名等のデータを、メインメモリ１２の揮発性領域又は補助記憶デバイス１３で記憶する。
【００４５】
プロセッサ１１は、ＡＣＴ６として表示デバイス１６の画面をデータ入力画面とする。データ入力画面は、支払通知書１の作成に必要な種々のデータの入力を受け付けるための画面である。例えばデータ入力画面は、売上帳票、経費帳票、テナント料帳票等に記録されているデータの入力を受け付けるための画面である。
【００４６】
データ入力画面を確認した担当者は、入力デバイス１５を操作して、選択したテナントの売上帳票、経費帳票、テナント料帳票等に記録されているデータを入力する。  
プロセッサ１１は、ＡＣＴ７としてデータの入力が終了するのを待ち受ける。
【００４７】
ここにプロセッサ１１を主体とするコンピュータは、入力デバイス１５及び表示デバイス１６と協働してＡＣＴ６及びＡＣＴ７の処理を実行することにより、押印のある文書の作成に必要なデータの入力を受け付ける受付手段を構成する。
【００４８】
プロセッサ１１は、データの入力が終了したことを検知すると、ＡＣＴ７においてＹＥＳと判定し、ＡＣＴ８へと進む。プロセッサ１１は、ＡＣＴ８として支払通知書のテンプレートデータを用いて、支払通知書の印書データを作成する。
【００４９】
具体的にはプロセッサ１１は、データ入力画面から入力されたデータを基に、選択されたテナントへの支払金額を算出する。そしてプロセッサ１１は、その支払金額を、テナント名、日付、デベロッパー名等とともに、テンプレートデータのヘッダ欄２に配置する。テナント名及びデベロッパー名は、メインメモリ１２又は補助記憶デバイス１３で記憶されている。日付は、時計１４で計時されている現在日付である。またプロセッサ１１は、データ入力画面から入力されたデータを、テンプレートデータの明細欄３に配置する。すなわちプロセッサ１１は、売上に関する各種項目のデータを第１の明細欄３Ａに配置し、経費に関する各種項目のデータを第２の明細欄３Ｂに配置し、テナント料に関する各種項目のデータを第３の明細欄３Ｃに配置する。
【００５０】
ここに、プロセッサを主体とするコンピュータは、ＡＣＴ８の処理を実行することにより、受付手段で受け付けたデータを基に文書を作成する作成手段を構成する。
【００５１】
プロセッサ１１は、支払通知書の印書データを作成し終えたならば、ＡＣＴ９としてその印書データを表示デバイス１６に表示する。図５は印書データを表示した画面、いわゆる印書データ画面ＳＣ１の一例である。図５に示すように、印書データ画面ＳＣ１の一部には、印書データとして作成された支払通知書の画像１Ｍが表示されている。また、精査ボタンＢ１、印刷ボタンＢ２及び保存ボタンＢ３のボタン画像が表示されている。
【００５２】
担当者は、入力デバイス１５を操作して、精査ボタンＢ１、印刷ボタンＢ２又は保存ボタンＢ３を入力する。ＡＣＴ８の処理で作成された支払通知書は、捺印がされていない未完の文書である。この未完の文書について精査が必要と思われる場合には、担当者は精査ボタンＢ１又は印刷ボタンＢ２を入力する。この未完の文書について精査が不要と思われる場合には、担当者は保存ボタンＢ３を入力する。
【００５３】
印書データを表示デバイス１６に表示したプロセッサ１１は、図３のＡＣＴ１０へと進む。プロセッサ１１は、ＡＣＴ１０として精査ボタンＢ１が入力されたか否かを確認する。精査ボタンＢ１が入力されていない場合、プロセッサ１１は、ＡＣＴ１０においてＮＯと判定し、ＡＣＴ１１へと進む。プロセッサ１１は、ＡＣＴ１１として保存ボタンＢ３が入力されたか否かを確認する。保存ボタンＢ３が入力されていない場合、プロセッサ１１は、ＡＣＴ１１においてＮＯと判定し、ＡＣＴ１２へと進む。プロセッサ１１は、ＡＣＴ１２として印刷ボタンＢ２が入力されたか否かを確認する。印刷ボタンＢ２が入力されていない場合、プロセッサ１１は、ＡＣＴ１２においてＮＯと判定し、ＡＣＴ１０へと戻る。
【００５４】
ここにプロセッサ１１は、ＡＣＴ１０乃至ＡＣＴ１２の処理により、精査ボタンＢ１が入力されるか、保存ボタンＢ３が入力されるか、印刷ボタンＢ２が入力されるのを待ち受ける。なお、ＡＣＴ１０乃至ＡＣＴ１２の待ち受け状態において、各ボタンＢ１，Ｂ２，Ｂ３が入力されたか否かを確認する順番は特に限定されない。要は、プロセッサ１１が精査ボタンＢ１、印刷ボタンＢ２又は保存ボタンＢ３のいずれかが入力されるのを待ち受けていればよい。
【００５５】
ＡＣＴ１０乃至ＡＣＴ１２の待ち受け状態において、プロセッサ１１は、保存ボタンＢ３が入力されたことを検知すると、ＡＣＴ１１においてＹＥＳと判定し、ＡＣＴ２１へと進む。ＡＣＴ２１以降の処理については後述する。
【００５６】
ＡＣＴ１０乃至ＡＣＴ１２の待ち受け状態において、プロセッサ１１は、印刷ボタンＢ２が入力されたことを検知すると、ＡＣＴ１２においてＹＥＳと判定し、ＡＣＴ１３へと進む。プロセッサ１１は、ＡＣＴ１３として印書データをプリンタサーバ３０へと出力するように通信インターフェース１７を制御する。この制御により、ＡＣＴ８の処理で作成された支払通知書の印書データが、通信インターフェース１７からネットワーク４０を介してプリンタサーバ３０へと送信される。
【００５７】
印書データを受信したプリンタサーバ３０は、プリンタ３１を制御して、所定の用紙に印書データをプリントアウトする。かくして、図８に示すような捺印前の支払通知書１Ｐが印刷される。
【００５８】
担当者は、支払通知書１Ｐの内容を精査する。例えば担当者は、支払通知書１Ｐの発行先であるテナントから入手した売上帳票と第１の明細欄３Ａに印刷されているデータとを照合して正誤を判定する。また担当者は、同テナントから入手した経費帳票と第２の明細欄３Ｂに印刷されているデータとを照合して正誤を判定する。さらに担当者は、同テナントから入手したテナント料帳票と第３の明細欄３Ｃに印刷されているデータとを照合して正誤を判定する。
【００５９】
支払通知書の印書データをプリンタサーバ３０へと出力したプロセッサ１１は、ＡＣＴ１４として表示デバイス１６の画面を第１確認画面ＳＣ２（図６を参照）とする。図６は、第１確認画面ＳＣ２の一表示例である。図６に示すように、第１確認画面ＳＣ２には修正ボタンＢ４と保存ボタンＢ５の各ボタン画像が表示されている。
【００６０】
支払通知書１Ｐの内容を精査した担当者は、入力デバイス１５を操作して、修正ボタンＢ４又は保存ボタンＢ５を入力する。すなわち担当者は、支払通知書１Ｐを精査した結果、その内容に誤りがある場合には修正ボタンＢ４を入力し、誤りがない場合には保存ボタンＢ５を入力する。
【００６１】
第１確認画面ＳＣ２を表示デバイス１６に表示したプロセッサ１１は、ＡＣＴ１５として修正ボタンＢ４が入力されたか否かを確認する。修正ボタンＢ４が入力されていない場合、プロセッサ１１は、ＡＣＴ１５においてＮＯと判定し、ＡＣＴ１６へと進む。プロセッサ１１は、ＡＣＴ１６として保存ボタンＢ５が入力されたか否かを確認する。保存ボタンＢ５が入力されていない場合、プロセッサ１１は、ＡＣＴ１６においてＮＯと判定し、ＡＣＴ１５へと戻る。
【００６２】
ここにプロセッサ１１は、ＡＣＴ１５及びＡＣＴ１６により、修正ボタンＢ４が入力されるか保存ボタンＢ５が入力されるのを待ち受ける。なお、ＡＣＴ１５及びＡＣＴ１６の待ち受け状態において、各ボタンＢ４，Ｂ５が入力されたか否かを確認する順番は特に限定されない。要は、プロセッサ１１が修正ボタンＢ４又は保存ボタンＢ５のいずれかが入力されるのを待ち受けていればよい。
【００６３】
ＡＣＴ１５及びＡＣＴ１６の待ち受け状態において、プロセッサ１１は、修正ボタンＢ４が入力されたことを検知すると、ＡＣＴ１５においてＹＥＳと判定し、図２のＡＣＴ６の処理へと戻る。すなわちプロセッサ１１は、表示デバイス１６の画面をデータ入力画面に戻して、データの修正を受け付ける。
【００６４】
ＡＣＴ１５及びＡＣＴ１６の待ち受け状態において、プロセッサ１１は、保存ボタンＢ５が入力されたことを検知した場合には、ＡＣＴ１６においてＹＥＳと判定し、ＡＣＴ２１へと進む。ＡＣＴ２１以降の処理については後述する。
【００６５】
ＡＣＴ１０乃至ＡＣＴ１２の待ち受け状態において、プロセッサ１１は、精査ボタンＢ１が入力されたことを検知すると、ＡＣＴ１０においてＹＥＳと判定し、ＡＣＴ１７へと進む。プロセッサ１１は、ＡＣＴ１７として精査処理を実行する。精査処理は、支払通知書１の明細欄３に表示されているデータと、売上帳票データベース２５、経費帳票データベース２６及びテナント料帳票データベース２７に保管されている帳票データとを照合して、データの正誤を判定する処理である。
【００６６】
例えばプロセッサ１１は、選択されたテナントの売上帳票データを売上帳票データベース２５から取得し、第１の明細欄３Ａに設定されているデータと照合して、データの正誤を判定する。またプロセッサ１１は、選択されたテナントの経費帳票データを経費帳票データベース２６から取得し、第２の明細欄３Ｂに設定されているデータと照合して、データの正誤を判定する。さらにプロセッサ１１は、選択されたテナントのテナント料帳票データをテナント料帳票データベース２７から取得し、第３の明細欄３Ｃに設定されているデータと照合して、データの正誤を判定する。  
このような精査処理のアルゴリズムについては特に限定されない。要は、支払通知書１の明細欄３に表示されているデータを自動的に精査できればよい。
【００６７】
精査処理を終えたプロセッサ１１は、ＡＣＴ１８として精査結果を表示デバイス１６に表示する。このとき、プロセッサ１１は、精査結果とともに第１確認画面ＳＣ２で説明した修正ボタンＢ４と保存ボタンＢ５の各ボタン画像も表示する。そしてプロセッサ１１は、ＡＣＴ１９として修正ボタンＢ４が入力されたか否かを確認する。修正ボタンＢ４が入力されていない場合、プロセッサ１１は、ＡＣＴ１９においてＮＯと判定し、ＡＣＴ２０へと進む。プロセッサ１１は、ＡＣＴ２０として保存ボタンＢ５が入力されたか否かを確認する。保存ボタンＢ５が入力されていない場合、プロセッサ１１は、ＡＣＴ２０においてＮＯと判定し、ＡＣＴ１９へと戻る。
【００６８】
ここにプロセッサ１１は、ＡＣＴ１９及びＡＣＴ２０により、修正ボタンＢ４が入力されるか保存ボタンＢ５が入力されるのを待ち受ける。なお、ＡＣＴ１９及びＡＣＴ２０の待ち受け状態において、各ボタンＢ４，Ｂ５が入力されたか否かを確認する順番は特に限定されない。要は、プロセッサ１１が修正ボタンＢ４又は保存ボタンＢ５のいずれかが入力されるのを待ち受けていればよい。
【００６９】
ＡＣＴ１９及びＡＣＴ２０の待ち受け状態において、プロセッサ１１は、修正ボタンＢ４が入力されたことを検知すると、ＡＣＴ１９においてＹＥＳと判定し、図２のＡＣＴ６の処理へと戻る。すなわちプロセッサ１１は、表示デバイス１６の画面をデータ入力画面に戻して、データの修正を受け付ける。
【００７０】
ＡＣＴ１９及びＡＣＴ２０の待ち受け状態において、プロセッサ１１は、保存ボタンＢ５が入力されたことを検知した場合には、ＡＣＴ２０においてＹＥＳと判定し、ＡＣＴ２１へと進む。このように、ＡＣＴ１０乃至ＡＣＴ１２の待ち受け状態、ＡＣＴ１４及びＡＣＴ１５の待ち受け状態、あるいはＡＣＴ１９及びＡＣＴ２０の待ち受け状態において、プロセッサ１１は、保存ボタンＢ５が入力されたことを検知すると、ＡＣＴ２１の処理へと進む。
【００７１】
プロセッサ１１は、ＡＣＴ２１として番号カウンタＮを“１”だけカウントアップする。そしてプロセッサ１１は、ＡＣＴ２２として番号カウンタＮの番号と関連付けて、ＡＣＴ８の処理で作成され、あるいは修正された印書データを、補助記憶デバイス１３の所定エリアで記憶する。
【００７２】
ここに、プロセッサ１１を主体とするコンピュータは、ＡＣＴ２２の処理を実行することにより、作成手段で作成された複数の文書を保存する保存手段を構成する。
【００７３】
プロセッサ１１は、ＡＣＴ２３として表示デバイス１６の画面を第２確認画面ＳＣ３（図７を参照）とする。図７は、第２確認画面ＳＣ３の一表示例である。図７に示すように、第２確認画面ＳＣ３には継続ボタンＢ６と確定ボタンＢ７の各ボタン画像が表示されている。
【００７４】
保存ボタンＢ３又は保存ボタンＢ５の入力によりテナント選択画面から選択したテナントに対して発行する支払通知書の印書データを保存することを指令した担当者は、さらに別のテナントに対しての支払通知書を作成するか否かを決定する。別のテナントに対しての支払通知書を作成する場合、担当者は、継続ボタンＢ６を入力する。必要な支払通知書を全て作成し終えた場合には、担当者は、確定ボタンＢ７を入力する。
【００７５】
第２確認画面ＳＣ３を表示デバイス１６に表示したプロセッサ１１は、ＡＣＴ２４として継続ボタンＢ６が入力されたか否かを確認する。継続ボタンＢ６が入力されていない場合、プロセッサ１１は、ＡＣＴ２４においてＮＯと判定し、ＡＣＴ２５へと進む。プロセッサ１１は、ＡＣＴ２５として確定ボタンＢ７が入力されたか否かを確認する。確定ボタンＢ７が入力されていない場合、プロセッサ１１は、ＡＣＴ２５においてＮＯと判定し、ＡＣＴ２４へと戻る。
【００７６】
ここにプロセッサ１１は、ＡＣＴ２４及びＡＣＴ２５により、継続ボタンＢ６が入力されるか確定ボタンＢ７が入力されるのを待ち受ける。なお、ＡＣＴ２４及びＡＣＴ２５の待ち受け状態において、各ボタンＢ６，Ｂ７が入力されたか否かを確認する順番は特に限定されない。要は、プロセッサ１１が継続ボタンＢ６又は確定ボタンＢ７のいずれかが入力されるのを待ち受けていればよい。
【００７７】
ＡＣＴ２４及びＡＣＴ２５の待ち受け状態において、プロセッサ１１は、継続ボタンＢ６が入力されたことを検知すると、ＡＣＴ２４においてＹＥＳと判定し、図２のＡＣＴ３の処理へと戻る。すなわちプロセッサ１１は、表示デバイス１６の画面をテナント選択画面に戻して、テナントの選択を受け付ける。
【００７８】
ＡＣＴ２４及びＡＣＴ２５の待ち受け状態において、プロセッサ１１は、確定ボタンＢ７が入力されたことを検知した場合には、ＡＣＴ２５においてＹＥＳと判定し、ＡＣＴ２６へと進む。プロセッサ１１は、ＡＣＴ２６として押印データを取得する。
【００７９】
具体的にはプロセッサ１１は、押印データを要求するコマンドをデータベースサーバ２０へと出力するように通信インターフェース１７を制御する。この制御により、通信インターフェース１７からネットワーク４０を介してデータベースサーバ２０へとコマンドが送信される。コマンドには、押印データを要求するデータとともに、デベロッパーの識別コードが含まれる。
【００８０】
データベースサーバ２０では、このコマンドを受けて、デベロッパーデータベース２１が検索される。そして、デベロッパーの識別コードと関連付けられたデベロッパーに関するデータの中から押印データが検出される。検出された押印データは、データベースサーバ２０からネットワークを介してコマンド送信元の印書作成装置１０へと送信される。
【００８１】
かくして、印書作成装置１０のプロセッサ１１は、押印データを取得することができる。プロセッサ１１は、データベースサーバ２０から取得した押印データをメインメモリ１２の揮発性領域又は補助記憶デバイス１３で記憶する。
【００８２】
ここに、プロセッサを主体とするコンピュータは、ＡＣＴ２６の処理を実行することにより、文書に印を押したときにできる印影を表す押印データを取得する取得手段を構成する。
【００８３】
押印データを取得したプロセッサ１１は、ＡＣＴ２７へと進む。プロセッサ１１は、ＡＣＴ２７として押印処理を実行する。
【００８４】
図４は押印処理の具体的な手順を示す流れ図である。すなわちプロセッサ１１は、押印処理に入ると、ＡＣＴ３１として補助記憶デバイス１３の所定エリアで記憶している印書データの１つを選択する。そしてプロセッサ１１は、ＡＣＴ３２としてその印書データの押印位置を特定する。具体的にはプロセッサ１１は、印書データを構成するテンプレートデータで押印エリア２Ｅとして設定されている領域を押印位置として特定する。
【００８５】
ここにプロセッサ１１を主体とするコンピュータは、ＡＣＴ３３の処理を実行することにより、作成手段で作成された文書の押印位置を特定する特定手段を構成する。
【００８６】
プロセッサ１１は、押印位置を特定できたならば、ＡＣＴ３３としてメインメモリ１２又は補助記憶デバイス１３で記憶している押印データが押印位置に配置されるように、印書データを編集する。そして印書データを編集し終えると、プロセッサ１１は、その押印データが押印位置に配置された印書データを補助記憶デバイス１３の所定エリアに上書き保存する。
【００８７】
プロセッサ１１は、ＡＣＴ３５として番号カウンタＮを“１”だけカウントダウンする。そしてプロセッサ１１は、ＡＣＴ３６として番号カウンタＮが“０”に到達したか否かを確認する。番号カウンタＮが“０”に到達していない場合、補助記憶デバイス１３の所定エリアには、編集を終えていない印書データが記憶されている。プロセッサ１１は、ＡＣＴ３６においてＮＯと判定し、ＡＣＴ３１へと戻る。そしてプロセッサ１１は、編集を終えていない次の印書データを選択して、ＡＣＴ３２乃至ＡＣＴ３５の処理を再度実行する。
【００８８】
このように、補助記憶デバイス１３に記憶された印書データは、順次、押印位置に押印データが配置されるように編集されて、補助記憶デバイス１３に上書き保存される。そして、全ての印書データが編集されて上書き保存されると、番号カウンタＮが“０”となる。プロセッサ１１は、番号カウンタＮが“０”になったことを確認すると、ＡＣＴ３６においてＹＥＳと判定し、ＡＣＴ３７へと進む。プロセッサ１１は、ＡＣＴ３７として表示デバイス１６に捺印済であることを示す画像を表示する。以上で、プロセッサ１１は、押印処理を終了する。
【００８９】
図３の説明に戻る。
【００９０】
ＡＣＴ２７の押印処理が終了すると、プロセッサ１１は、ＡＣＴ２８として押印済印書データの印刷を制御する。具体的にはプロセッサ１１は、補助記憶デバイス１３に記憶された印書データをプリンタサーバ３０へと出力するように通信インターフェース１７を制御する。この制御により、ＡＣＴ２７の押印処理によって編集された支払通知書の印書データが、通信インターフェース１７からネットワーク４０を介してプリンタサーバ３０へと送信される。このとき、補助記憶デバイス１３に複数の印書データが記憶されている場合には、各印書データが順次プリンタサーバ３０へと送信される。
【００９１】
印書データを受信したプリンタサーバ３０は、プリンタ３１を制御して、所定の用紙に印書データをプリントアウトする。かくして、図９に示すような支払通知書１Ｑが印刷される。すなわち、押印エリア２Ｅに、デベロッパーの社印が捺印したときにできる印影４が表された捺印済の支払通知書１Ｑが印刷される。
【００９２】
押印済印書データの印刷を制御し終えたプロセッサ１１は、ＡＣＴ２９として押印済印書データの保存を制御する。具体的にはプロセッサ１１は、補助記憶デバイス１３に記憶された印書データをデータベースサーバ２０へと出力するように通信インターフェース１７を制御する。この制御により、ＡＣＴ２７の押印処理によって編集された支払通知書の印書データが、通信インターフェース１７からネットワーク４０を介してデータベースサーバ２０へと送信される。このとき、補助記憶デバイス１３に複数の印書データが記憶されている場合には、各印書データが順次データベースサーバ２０へと送信される。
【００９３】
印書データを受信したデータベースサーバ２０は、その印書データを印書データベース２４に保存する。
【００９４】
ここにプロセッサ１１を主体とするコンピュータは、入力デバイス１５及び表示デバイス１６と協働して、図２のＡＣＴ９及び図３のＡＣＴ１２の処理を実行することにより、作成手段で作成された文書を未完文書として出力を指示する第１指示手段を構成する。また同コンピュータは、入力デバイス１５及び表示デバイス１６と協働して、図３のＡＣＴ２３及びＡＣＴ２５の処理を実行することにより、作成手段で作成された文書を完成文書として出力を指示する第２指示手段を構成する。
【００９５】
さらに同コンピュータは、通信インターフェース１７と協働してＡＣＴ１３及びＡＣＴ２６乃至ＡＣＴ２８の処理を実行することにより、出力手段を構成する。すなわちコンピュータは、ＡＣＴ１３として、第１指示手段による指示を受けた場合には、作成手段で作成された文書をそのまま出力する。コンピュータは、ＡＣＴ２６乃至ＡＣＴ２８として、第２指示手段による指示を受けた場合には、作成手段で作成された文書に取得手段で取得した押印データを付加して出力する。
【００９６】
また、同コンピュータは、表示デバイス１６と協働して、図４のＡＣＴ３７の処理を実行することにより、押印データが付加された文書の出力を報知する報知手段を構成する。
【００９７】
また、印書作成装置１０において、入力デバイス１５は、押印のある文書の作成に必要なデータを入力するための入力部の一例である。メインメモリ１２又は補助記憶デバイス１３は、文書に印を押したときにできる印影を表す押印データを記憶する記憶部の一例である。プロセッサ１１は、入力部を介して入力されたデータを基に文書を作成し、その文書を未完文書として出力する機能、およびその文書に押印データを付加して完成文書として出力する機能を有する制御部の一例である。
【００９８】
以上詳述したように、印書作成装置１０を利用して複数のテナントに対しての支払通知書を作成するデベロッパーの担当者は、先ず、支払通知書の印書作成業務を選択する。そうすると、テンプレートデータベース２３から支払通知書のテンプレートデータが取得されて、表示デバイス１６にテナント選択画面が表示されるので、担当者は、いずれかのテナントを選択する。そうすると、テナントデータベース２２からテナント名等のデータが取得されて、表示デバイス１６にデータ入力画面が表示されるので、担当者は、支払通知書の作成に必要なデータを入力する。そして、データの入力を終えると、支払通知書の印書データが作成されて、表示デバイス１６に、図５に示すような印書データ画面ＳＣ１が表示されるので、担当者は、支払通知書の精査を目視で行うか自動で行うかを決定する。そして、精査を目視で行う場合には、印刷ボタンＢ２を入力する。精査を自動で行う場合には、精査ボタンＢ１を入力する。
【００９９】
担当者が印刷ボタンＢ２を入力した場合、プリンタ３１から図８に示すような支払通知書１Ｐが印刷されて発行される。また、表示デバイス１６に、図６に示すような第１確認画面ＳＣ２が表示されるので、担当者は、支払通知書Ｐ１の精査を行う。このとき、支払通知書１Ｐには押印エリア２Ｅに捺印が表示されていない。したがって担当者は、支払通知書１Ｐを精査用の書面であると容易に認識することができる。
【０１００】
さて、支払通知書１Ｐの目視による精査を終え、問題がないことを確認すると、担当者は、第１確認画面ＳＣ２の保存ボタンＢ５を入力する。そうすると、支払通知書の印書データが補助記憶デバイス１３に保存される。
【０１０１】
因みに、印書データ画面ＳＣ１において、担当者が精査ボタンＢ１を入力した場合には、印書データが自動的に精査される。そして、その精査結果が表示デバイス１６に表示されるので、担当者は、精査結果が正常であれば保存ボタンＢ５を入力する。そうすると、支払通知書の印書データが補助記憶デバイス１３に保存される。
【０１０２】
支払通知書の印書データが補助記憶デバイス１３に保存される毎に、表示デバイス１６には、図７に示すような第２確認画面ＳＣ３が表示される。担当者は、別のテナントの支払通知書を作成する場合、継続ボタンＢ６を入力する。そうすると、表示デバイス１６にテナント選択画面が表示されるので、担当者は、前述したのと同様の操作を繰り返す。
【０１０３】
こうして、必要なテナントの支払通知書を全て作成し終えたならば、担当者は、第２確認画面ＳＣ３の確定ボタンＢ７を入力する。そうすると、プリンタ３１から図９に示すような支払通知書１Ｑが順次印刷されて発行される。すなわち、押印エリア２Ｅにデベロッパーの社印が捺印したときにできる印影４が表された支払通知書１Ｑがまとめて発行される。このとき、表示デバイス１６には捺印済であることが表示される。したがって担当者は、印刷された支払通知書１Ｑが捺印済の書面であることを容易に認識できる。かくして担当者は、支払通知書１Ｑを精査完了後の正規の書面として取り扱えばよい。
【０１０４】
このように本実施形態によれば、精査が完了した書面だけに自動的に押印して発行できる印書作成装置を提供することができる。したがって、精査が完了した書面に捺印をする作業が不要になるので、精査が完了していない書面に捺印をしてしまったり、精査が完了している書面に対して捺印をし忘れてしまったりミスが発生する懸念もない。このような効果は、数十あるいは数百のテナントに対する支払通知書等の印書をまとめて作成する際に大変有効である。
【０１０５】
以上、精査が完了した書面だけに自動的に押印して発行できる印書作成装置の実施形態について説明したが、かかる実施形態はこれに限定されるものではない。
【０１０６】
例えば前記実施形態では、プロセッサ１１は、図３のＡＣＴ２６において押印データを取得したが、押印データを取得するタイミングは、これに限定されるものではない。例えば、プロセッサ１１は、図２のＡＣＴ２において、支払通知書のテンプレートデータとともにデベロッパー名のデータを取得している。このタイミングで、プロセッサ１１は、押印データを取得してもよい。
【０１０７】
例えば前記実施形態では、印書データ画面ＳＣ１に精査ボタンＢ１を設け、精査ボタンＢ１が入力されると、プロセッサ１１が、図３のＡＣＴ１７乃至ＡＣＴ２０の処理を実行するようにした。このような自動精査機能は、必ずしも印書作成装置１０が備えていなくてもよい。
【０１０８】
前記実施形態では、データベースサーバ２０にデベロッパーデータベース２１を設け、デベロッパーに関するデータを記憶するようにした。デベロッパーに関するデータは、メインメモリ１２の不揮発性領域あるいは補助記憶デバイス１３に記憶するようにしてもよい。
【０１０９】
また、印書作成装置１０は、各データベース２１〜２７を補助記憶デバイス１３で記憶するとともにプリンタ３１を備えて、システムではなく単一の装置で構成してもよい。
【０１１０】
印書作成装置１０によって作成される印書は、支払通知書に限定されない。また、支払通知書のレイアウトも、図８又は図９に示すものに限定されないのは言うまでもない。さらに、印書の出力方法は印刷に限定されない。印書が電子データとして表示出力され、あるいはネットワーク経由で通信端末等に通信出力されてもよい。要は、第１指示手段による指示を受けた場合には、作成手段で作成された文書をそのまま出力し、第２指示手段による指示を受けた場合には、作成手段で作成された文書に取得手段で取得した押印データを付加して出力する印書作成装置であればよい。
【０１１１】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態及びその変形は、発明の範囲に含まれるとともに、特許請求の範囲に記載された発明とその均等の範囲に含まれる。
【符号の説明】
【０１１２】
１０…印書作成装置、１１…プロセッサ、１２…メインメモリ、１３…補助記憶デバイス、１４…時計、１５…入力デバイス、１６…表示デバイス、１７…通信インターフェース、２０…データベースサーバ、２１…デベロッパーデータベース、２２…テナントデータベース、２３…テンプレートデータベース、２４…印書データベース、２５…売上帳票データベース、２６…経費帳票データベース、２７…テナント料帳票データベース、３０…プリンタサーバ、３１…プリンタ、１００…印書作成システム。
【図１】
2020181260.tif 000003
【図２】
2020181260.tif 000004
【図３】
2020181260.tif 000005
【図４】
2020181260.tif 000006
【図５】
2020181260.tif 000007
【図６】
2020181260.tif 000008
【図７】
2020181260.tif 000009
【図８】
2020181260.tif 000010
【図９】
2020181260.tif 000011